(57)【要約】  セキュリティに優れたドアを提供する。ドア１は、扉板１０、及び生体認証装置２０を備えている。生体認証装置２０は、生体情報を取得するセンサ２２を有している。生体認証装置２０は、センサ２２が取得した生体情報の認証を行う。センサ２２は、扉板１０の内部に隠れている。ドア１は、生体認証装置２０による認証が成功したとき、開扉可能になる。
2017077563.tif 000002
【特許請求の範囲】
【請求項１】
扉板と、
生体情報を取得するセンサを有し、当該センサが取得した前記生体情報の認証を行う生体認証装置と、を備え、
前記センサは、前記扉板の内部に隠れており、
前記生体認証装置による前記認証が成功したとき、開扉可能になることを特徴とするドア。
【請求項２】
請求項１に記載のドアにおいて、
前記センサは、前記扉板の内部に隠れた状態のまま前記生体情報を取得するドア。
【請求項３】
請求項１又は２に記載のドアにおいて、
前記生体認証装置の全体が前記扉板の内部に隠れているドア。
【請求項４】
請求項１乃至３の何れかに記載のドアにおいて、
前記扉板に取り付けられた電気錠を備え、
前記認証が成功すると、前記電気錠が開錠されるように構成されているドア。
【請求項５】
請求項１乃至４の何れかに記載のドアにおいて、
前記扉板に取り付けられたドアノブを備え、
前記認証が成功すると、前記ドアノブが運動可能になるように構成されているドア。
【請求項６】
請求項１乃至５の何れかに記載のドアにおいて、
前記扉板に取り付けられた、鍵穴を有する錠前を備えるドア。
【請求項７】
請求項１乃至６の何れかに記載のドアにおいて、
前記扉板の内部における前記センサの位置は、変更可能であるドア。
【請求項８】
請求項７に記載のドアにおいて、
前記センサの位置は、前記扉板の外部からの遠隔操作により変更可能であるドア。
【請求項９】
請求項１乃至８の何れかに記載のドアにおいて、
前記センサは、マイクであるドア。
【請求項１０】
請求項９に記載のドアにおいて、
前記マイクは、指向性マイクであるドア。
【請求項１１】
請求項９又は１０に記載のドアにおいて、
前記扉板の外面には、当該扉板の内部と外部とを連通させる第１の孔が形成されているドア。
【請求項１２】
請求項１１に記載のドアにおいて、
前記センサは、正面視で前記第１の孔と重なる位置に設けられているドア。
【請求項１３】
請求項１１又は１２に記載のドアにおいて、
前記第１の孔の径は、２ｍｍ以下であるドア。
【請求項１４】
請求項１１乃至１３の何れかに記載のドアにおいて、
前記扉板の前記外面には、当該扉板の内部と外部とを連通させる第２の孔が形成されているドア。
【請求項１５】
請求項１４に記載のドアにおいて、
前記第２の孔は、前記第１の孔から３０ｃｍ以上離れているドア。
【請求項１６】
請求項１４又は１５に記載のドアにおいて、
前記第２の孔の径は、２ｍｍ以下であるドア。
【請求項１７】
請求項１乃至８の何れかに記載のドアにおいて、
前記センサは、カメラであるドア。
【請求項１８】
請求項１７に記載のドアにおいて、
前記扉板の外面には、前記カメラによる撮像に必要な光を透過させる第１の透光部が設けられているドア。
【請求項１９】
請求項１８に記載のドアにおいて、
前記センサは、正面視で前記第１の透光部と重なる位置に設けられているドア。
【請求項２０】
請求項１８又は１９に記載のドアにおいて、
前記第１の透光部は、前記扉板の前記外面における当該第１の透光部が設けられていない部分と同一色又は同系色に着色されているドア。
【請求項２１】
請求項１８乃至２０の何れかに記載のドアにおいて、
前記扉板の前記外面には、前記光を透過させる第２の透光部が設けられているドア。
【請求項２２】
請求項２１に記載のドアにおいて、
前記第２の透光部は、前記扉板の前記外面における前記第１の透光部又は当該第２の透光部が設けられていない部分と同一色又は同系色に着色されているドア。
【請求項２３】
請求項２１又は２２に記載のドアにおいて、
前記第２の透光部は、前記第１の透光部から３０ｃｍ以上離れているドア。
【発明の詳細な説明】
【技術分野】
【０００１】
本発明は、生体認証装置が設けられたドアに関する。
【背景技術】
【０００２】
従来のドアとしては、例えば特許文献１に記載されたものがある。同文献に記載されたドアには、電気錠が設けられている。ドアの近傍には、指紋認証付きカードリーダが設置されている。所定の条件下でドアを開けようとする入室者には、指紋認証が要求される。その場合、入室者が指紋認証付きカードリーダに指を置いて認証に成功したときのみ、電気錠が開錠されることになる。
【先行技術文献】
【特許文献】
【０００３】
【特許文献１】特開２０１０−１０２６３３号公報
【発明の概要】
【発明が解決しようとする課題】
【０００４】
指紋認証等の生体認証は、個人毎に特徴の異なる生体情報を利用するものである。それゆえ、生体認証装置を設けることにより、ドアが不正に開けられるリスクを低減させることができる。しかしながら、生体情報の複製や偽造も不可能ではないため、生体認証装置が設けられたドアであっても、そのセキュリティは万全とは言い難い。【０００５】
本発明は、上記課題に鑑みてなされたものであり、セキュリティに優れたドアを提供することを目的とする。
【課題を解決するための手段】
【０００６】
本発明によるドアは、扉板と、生体情報を取得するセンサを有し、当該センサが取得した上記生体情報の認証を行う生体認証装置と、を備え、上記センサは、上記扉板の内部に隠れており、上記生体認証装置による上記認証が成功したとき、開扉可能になることを特徴とする。【０００７】
このドアは、生体認証装置を備えており、当該生体認証装置による認証が成功したときに開扉可能になる。これにより、ドアが不正に開けられるリスクが低減する。しかも、このドアにおいては、生体認証装置のセンサが扉板の内部に隠れている。このため、センサが外部から見えている場合と異なり、センサの存在を部外者に知られにくい。センサの存在を知らなければ、部外者は、ドアの開け方、すなわちドアを開けるのに生体認証が必要であることすら把握できない。これにより、ドアが不正に開けられるリスクを一層低減させることができる。
【発明の効果】
【０００８】
本発明によれば、セキュリティに優れたドアが実現される。
【図面の簡単な説明】
【０００９】
【図１】本発明によるドアの第１実施形態を示す正面図である。
【図２】図１のドアの一部分を拡大して示す正面図である。
【図３】図２のIII−III線に沿った端面図である。
【図４】図１のドアの他の部分を拡大して示す正面図である。
【図５】図４のV−V線に沿った端面図である。
【図６】図１のドアにおいてセンサの位置を変更した後の様子を示す正面図である。
【図７】本発明によるドアの第２実施形態を示す正面図である。
【図８】図７のドアの一部分を拡大して示す正面図である。
【図９】図８のIX−IX線に沿った端面図である。
【図１０】図７のドアの他の部分を拡大して示す正面図である。
【図１１】図１０のXI−XI線に沿った端面図である。
【図１２】図７のドアにおいてセンサの位置を変更した後の様子を示す正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるドアの第１実施形態を示す正面図である。ドア１は、建具として用いられるドアであって、扉板１０、及び生体認証装置２０を備えている。ドア１は、例えば、建造物の出入口、又は建造物内の各部屋の出入口に設けられる開き戸である。同図は、扉板１０の外面１０ａ（建造物や部屋の外側の面）を示している。
【００１２】
扉板１０には、電気錠１２、ドアノブ１４及びシリンダー錠１６が取り付けられている。電気錠１２は、有線又は無線により生体認証装置２０と電気的に接続されている。ドアノブ１４は、扉板１０の外面１０ａ側に設けられている。本実施形態においてドアノブ１４は、レバー型のドアノブである。ドア１を開扉するには、図１に矢印Ａ１で示すようにドアノブ１４を押し下げる操作が必要となる。このとき、ドアノブ１４は、先端が円周に沿って変位するように運動する。このドアノブ１４も、有線又は無線により生体認証装置２０と電気的に接続されている。シリンダー錠１６は、扉板１０の外面１０ａ側に設けられている。シリンダー錠１６は、鍵穴を有している。
【００１３】
生体認証装置２０は、生体情報を取得するセンサ２２を有している。生体認証装置２０は、センサ２２が取得した生体情報の認証を行う。センサ２２は、扉板１０の内部に隠れている。すなわち、センサ２２は、扉板１０の表面（外面１０ａ及び後述する内面１０ｂの双方を含む。）に露出していない。センサ２２は、扉板１０の内部に隠れた状態のまま生体情報を取得する。本実施形態においては、生体認証装置２０の全体が扉板１０の内部に隠れている。本実施形態においてセンサ２２は、マイクであり、生体情報として音声を取得する。マイクは、指向性マイクであることが好ましい。また、生体認証装置２０は、音声（声紋）認証装置である。
【００１４】
ドア１は、生体認証装置２０による認証が成功したとき、開扉可能になる。反対に、認証が失敗したときは、ドア１は開扉可能にならない。具体的には、認証が成功したときのみ、電気錠１２が開錠されるとともに、ドアノブ１４が運動可能になる。このように本実施形態においては、認証に成功するまで、電気錠１２が施錠されているのみならず、ドアノブ１４の運動自体も制限されている。
【００１５】
図２は、図１のドアの一部分（破線Ｃ１で囲まれた部分）を拡大して示す正面図である。また、図３は、図２のIII−III線に沿った端面図である。扉板１０の外面１０ａには、孔３２（第１の孔）が形成されている。具体的には、複数（本実施形態では７つ）の孔３２が形成されている。これらの孔３２は、扉板１０の内部と外部とを連通させている。各孔３２の径は、２ｍｍ以下であることが好ましく、１ｍｍ以下であることがより好ましい。センサ２２は、扉板１０の外面１０ａと内面１０ｂ（建造物や部屋の内側の面）との間の空間において、正面視で孔３２と重なる位置に設けられている。なお、図３においては、センサ２２を除く生体認証装置２０の図示を省略している。
【００１６】
図４は、図１のドアの他の部分（破線Ｃ２で囲まれた部分）を拡大して示す正面図である。また、図５は、図４のV−V線に沿った端面図である。扉板１０の外面１０ａには、孔３４（第２の孔）も形成されている。具体的には、複数（本実施形態では７つ）の孔３４が形成されている。これらの孔３４は、扉板１０の内部と外部とを連通させている。各孔３４の径は、２ｍｍ以下であることが好ましく、１ｍｍ以下であることがより好ましい。また、孔３４は、孔３２から３０ｃｍ以上離れていることが好ましい。
【００１７】
図１に戻って、扉板１０の内部におけるセンサ２２の位置は、変更可能である。センサ２２の位置は、扉板１０の外部からの遠隔操作により変更可能であることが好ましい。例えば、図６に示すように、正面視で孔３４と重なる位置にセンサ２２を移動させることができる。同図においては、センサ２２の移動に伴って、生体認証装置２０全体も移動する例を示している。ただし、センサ２２のみが移動し、生体認証装置２０におけるセンサ２２以外の部分は移動しない構成としてもよい。
【００１８】
ドア１の効果を説明する。ドア１は、生体認証装置２０を備えており、生体認証装置２０による認証が成功したときに開扉可能になる。これにより、ドア１が不正に開けられるリスクが低減する。しかも、ドア１においては、生体認証装置２０のセンサ２２が扉板１０の内部に隠れている。このため、センサ２２が外部から見えている場合と異なり、センサ２２の存在を部外者に知られにくい。センサ２２の存在を知らなければ、部外者は、ドア１の開け方、すなわちドア１を開けるのに生体認証が必要であることすら把握できない。これにより、ドア１が不正に開けられるリスクを一層低減させることができる。したがって、セキュリティに優れたドア１が実現されている。
【００１９】
また、かかる構成によれば、部外者がセンサ２２の存在を知ったとしても、センサ２２の位置まで知ることは難しい。センサ２２の位置を知らなければ、部外者が複製等された本人（ドア１を開扉する権限を有する者）の生体情報を用いたとしても、認証に成功する確率は小さくなる。このことも、ドア１が不正に開けられるリスクの低減につながる。
【００２０】
ところで、センサ２２は、扉板１０の内部ではなく、ドアノブ１４の内部に隠すことも考えられる。しかしながら、ドアノブ１４は、ドア１を開けようとする際に手が触れる部分であり、扉板１０よりも注目されやすい。また、ドアノブ１４は、扉板１０に比べて遥かに小さく、センサ２２を設ける位置の自由度が低い。それゆえ、センサ２２の存在を部外者に知られにくくするには、ドアノブ１４の内部よりも扉板１０の内部にセンサ２２を隠した方が有利である。
【００２１】
センサ２２は、扉板１０の内部に隠れた状態のまま生体情報を取得する。このように認証時にもセンサ２２が隠れていることにより、センサ２２の存在を部外者に一層知られにくくなる。
【００２２】
生体認証装置２０は、その全体が扉板１０の内部に隠れている。このように生体認証装置２０におけるセンサ２２以外の部分も隠れている場合、外観上、センサ２２の存在を推知させるものがないため、センサ２２の存在を部外者に一層知られにくくなる。
【００２３】
ドア１は、生体認証装置２０による認証が成功すると、電気錠１２が開錠されるように構成されている。これにより、認証の成否に応じてドア１の開扉の可否が決まる構成を容易に実現することができる。
【００２４】
ドア１は、生体認証装置２０による認証が成功すると、ドアノブ１４が運動可能になるように構成されている。これにより、認証の成否に応じてドア１の開扉の可否が決まる構成を容易に実現することができる。また、このようにドアノブ１４の運動自体を制御することにより、錠前（電気錠１２及びシリンダー錠１６）を設けなくても、認証の成否に応じてドア１の開扉の可否が決まる構成を実現することが可能となる。
【００２５】
扉板１０には、シリンダー錠１６が取り付けられている。このように鍵穴を有する錠前（シリンダー錠１６）が設けられている場合、シリンダー錠１６がドア１における唯一の施錠手段であると部外者に誤信させ、それによりセンサ２２を含めた生体認証装置２０の存在をカムフラージュすることができる。
【００２６】
扉板１０の内部におけるセンサ２２の位置は、変更可能である。この場合、センサ２２の位置を定期的に変更することにより、センサ２２の存在及び位置を部外者に一層知られにくくなる。万一センサ２２の存在及び位置を知られた場合であっても、センサ２２の位置を変更することにより、変更後の位置を秘匿することができる。センサ２２の位置が扉板１０の外部からの遠隔操作により変更可能である場合、センサ２２の位置の変更を容易に行うことができる。
【００２７】
ドア１においては、センサ２２としてマイクが設けられている。マイクは、生体から離れていても生体情報（音声）を取得することができるため、扉板１０の内部に隠れた状態のまま生体情報を取得するのに適している。
【００２８】
センサ２２が指向性マイクである場合、その正面から発音しないと、本人の音声であっても、生体認証装置２０による認証に成功しにくくなる。したがって、センサ２２の位置を知らない部外者が複製等された音声を用いたとしても、認証に成功する確率は一層小さくなる。
【００２９】
扉板１０の外面１０ａには、扉板１０の内部と外部とを連通させる孔３２が形成されている。かかる孔３２の近傍にセンサ２２を配置することにより、センサ２２による音声の取得が容易になる。センサ２２が正面視で孔３２と重なる位置に設けられている場合、センサ２２による音声の取得が特に容易になる。
【００３０】
その反面、孔３２が目立つと、部外者にセンサ２２の存在を知られる端緒となりかねない。かかる観点から、孔３２の径は、２ｍｍ以下であることが好ましく、１ｍｍ以下であることがより好ましい。
【００３１】
本実施形態においては、複数の孔３２が形成されている。これにより、センサ２２による音声取得の容易性を犠牲にすることなく、１つ１つの孔３２の径を小さくすることができる。ただし、孔３２は、１つだけ設けられていてもよい。
【００３２】
扉板１０の外面１０ａには、扉板１０の内部と外部とを連通させる孔３４が形成されている。かかる孔３４の近傍にセンサ２２を配置することにより、センサ２２による音声の取得が容易になる。センサ２２が正面視で孔３４と重なる位置に設けられている場合、センサ２２による音声の取得が特に容易になる。また、孔３２に加えて孔３４が設けられているため、センサ２２の位置を変更した後においても、センサ２２を連通孔（孔３４）の近傍に配置することができる。このような孔３４の存在意義に鑑みれば、孔３４は、孔３２から充分に（３０ｃｍ以上）離れていることが好ましい。
【００３３】
その反面、孔３４が目立つと、部外者にセンサ２２の存在を知られる端緒となりかねない。かかる観点から、孔３４の径は、２ｍｍ以下であることが好ましく、１ｍｍ以下であることがより好ましい。
【００３４】
本実施形態においては、複数の孔３４が形成されている。これにより、センサ２２による音声取得の容易性を犠牲にすることなく、１つ１つの孔３４の径を小さくすることができる。ただし、孔３４は、１つだけ設けられていてもよい。
（第２実施形態）
【００３５】
図７は、本発明によるドアの第２実施形態を示す正面図である。ドア２は、建具として用いられるドアであって、扉板１０、及び生体認証装置４０を備えている。同図は、扉板１０の外面１０ａを示している。扉板１０の構成は、第１実施形態で説明したとおりである。
【００３６】
生体認証装置４０は、生体情報を取得するセンサ４２を有している。生体認証装置４０は、センサ４２が取得した生体情報の認証を行う。センサ４２は、扉板１０の内部に隠れている。センサ４２は、扉板１０の内部に隠れた状態のまま生体情報を取得する。本実施形態においては、生体認証装置４０の全体が扉板１０の内部に隠れている。本実施形態においてセンサ４２は、カメラである。センサ４２が取得する生体情報は、例えば、指紋、静脈、虹彩等のパターンである。ドア２は、生体認証装置４０による認証が成功したとき、開扉可能になる。反対に、認証が失敗したときは、ドア２は開扉可能にならない。
【００３７】
図８は、図７のドアの一部分（破線Ｃ３で囲まれた部分）を拡大して示す正面図である。また、図９は、図８のIX−IX線に沿った端面図である。扉板１０の外面１０ａには、透光部５２（第１の透光部）が設けられている。透光部５２は、カメラ（センサ４２）による撮像に必要な光を透過させる部分である。当該光は、透光部５２を通じて、扉板１０の内部と外部との間を往来することができる。透光部５２は、扉板１０の外面１０ａにおける地の部分（透光部５２又は後述する透光部５４が設けられていない部分）と同一色又は同系色に着色されていることが好ましい。センサ４２は、扉板１０の外面１０ａと内面１０ｂとの間の空間において、正面視で透光部５２と重なる位置に設けられている。なお、図９においては、センサ４２を除く生体認証装置４０の図示を省略している。
【００３８】
図１０は、図７のドアの他の部分（破線Ｃ４で囲まれた部分）を拡大して示す正面図である。また、図１１は、図１０のXI−XI線に沿った端面図である。扉板１０の外面１０ａには、透光部５４（第２の透光部）も設けられている。透光部５４は、カメラ（センサ４２）による撮像に必要な光を透過させる部分である。当該光は、透光部５４を通じて、扉板１０の内部と外部との間を往来することができる。透光部５４は、扉板１０の外面１０ａにおける地の部分と同一色又は同系色に着色されていることが好ましい。また、透光部５４は、透光部５２から３０ｃｍ以上離れていることが好ましい。
【００３９】
図７に戻って、扉板１０の内部におけるセンサ４２の位置は、変更可能である。センサ４２の位置は、扉板１０の外部からの遠隔操作により変更可能であることが好ましい。例えば、図１２に示すように、正面視で透光部５４と重なる位置にセンサ４２を移動させることができる。同図においては、センサ４２の移動に伴って、生体認証装置４０全体も移動する例を示している。ただし、センサ４２のみが移動し、生体認証装置４０におけるセンサ４２以外の部分は移動しない構成としてもよい。
【００４０】
ドア２の効果を説明する。ドア２は、生体認証装置４０を備えており、生体認証装置４０による認証が成功したときに開扉可能になる。これにより、ドア２が不正に開けられるリスクが低減する。しかも、ドア２においては、生体認証装置４０のセンサ４２が扉板１０の内部に隠れている。このため、センサ４２が外部から見えている場合と異なり、センサ４２の存在を部外者に知られにくい。センサ４２の存在を知らなければ、部外者は、ドア２の開け方、すなわちドア２を開けるのに生体認証が必要であることすら把握できない。これにより、ドア２が不正に開けられるリスクを一層低減させることができる。したがって、セキュリティに優れたドア２が実現されている。
【００４１】
ドア２においては、センサ４２としてカメラが設けられている。カメラは、生体から離れていても生体情報（指紋等のパターン）を取得することができるため、扉板１０の内部に隠れた状態のまま生体情報を取得するのに適している。
【００４２】
扉板１０の外面１０ａには、透光部５２が設けられている。かかる透光部５２の近傍にセンサ４２を配置することにより、センサ４２によるパターンの取得が容易になる。センサ４２が正面視で透光部５２と重なる位置に設けられている場合、センサ４２によるパターンの取得が特に容易になる。透光部５２が扉板１０の外面１０ａにおける地の部分と同一色又は同系色に着色されている場合、透光部５２を目立ちにくくすることができる。
【００４３】
扉板１０の外面１０ａには、透光部５４が設けられている。かかる透光部５４の近傍にセンサ４２を配置することにより、センサ４２によるパターンの取得が容易になる。センサ４２が正面視で透光部５４と重なる位置に設けられている場合、センサ４２によるパターンの取得が特に容易になる。また、透光部５２に加えて透光部５４が設けられているため、センサ４２の位置を変更した後においても、センサ４２を透光部（透光部５４）の近傍に配置することができる。このような透光部５４の存在意義に鑑みれば、透光部５４は、透光部５２から充分に（３０ｃｍ以上）離れていることが好ましい。ドア２のその他の効果は、ドア１と同様である。
【００４４】
本発明によるドアは、上記実施形態に限定されるものではなく、様々な変形が可能である。上記実施形態においては、扉板の外面の一部に、センサによる生体情報の取得を容易にするための構造（孔３２，３４又は透光部５２，５４）が設けられた例を示した。しかし、センサによる生体情報の取得が可能である限り、かかる構造を設けることは必須でない。かかる構造を設けない場合、センサが位置する部分とその他の部分との間で、扉板の外面に外観上の差異が生じないようにすることができる。このことは、センサ２２の存在や位置を部外者に知られにくくする点で有利である。
【００４５】
上記実施形態においては、ドアノブ１４として、レバー型のドアノブを例示した。しかし、ドアノブ１４は、丸型のドアノブであってもよい。その場合、ドアを開扉するには、ドアノブ１４を回す操作が必要となる。このとき、ドアノブ１４は、回転（自転）運動する。
【００４６】
上記実施形態においては、ドアとして開き戸を例示した。しかし、本発明は、引き戸にも適用することができる。また、上記実施形態においては、建具として用いられるドアを例示した。しかし、本発明は、例えば金庫の扉のように、建具以外の用途に用いられるドアにも適用することができる。
【００４７】
上記実施形態においては、認証に用いる生体情報として、音声（声紋）、指紋、静脈及び虹彩を例示した。しかし、例えば脳波のように、その他の生体情報を用いてもよい。
【符号の説明】
【００４８】
１  ドア
２  ドア
１０  扉板
１０ａ  外面
１０ｂ  内面
１２  電気錠
１４  ドアノブ
１６  シリンダー錠
２０  生体認証装置
２２  センサ
３２  孔（第１の孔）
３４  孔（第２の孔）
４０  生体認証装置
４２  センサ
５２  透光部（第１の透光部）
５４  透光部（第２の透光部）
【図１】
2017077563.tif 000003
【図２】
2017077563.tif 000004
【図３】
2017077563.tif 000005
【図４】
2017077563.tif 000006
【図５】
2017077563.tif 000007
【図６】
2017077563.tif 000008
【図７】
2017077563.tif 000009
【図８】
2017077563.tif 000010
【図９】
2017077563.tif 000011
【図１０】
2017077563.tif 000012
【図１１】
2017077563.tif 000013
【図１２】
2017077563.tif 000014
【国際調査報告】
2017077563.tif 000015
2017077563.tif 000016
2017077563.tif 000017
2017077563.tif 000018